(57)【特許請求の範囲】
【請求項１】
ベース（２）と、ベース（２）を閉じるための蓋（３）とを備える化粧ポットであって、
蓋（３）が、結合プレート（４）と呼ばれる内側部分と、キャップ（５）と呼ばれる外側部分とを備え、結合プレート（４）およびキャップ（５）は、互いに対して回転可能に装着され、それにより、蓋（３）は、静止位置と、結合プレート（４）およびキャップ（５）が静止位置に対して互いに対して回転される、開放位置とをとるように構成され、
キャップ（５）が、少なくとも１つの突出活性ゾーン（５０５）を形成するプロファイルによって画定された、径方向カム（５０４）を備え、
結合部材（４）が、
支持体（４００）と、
支持体（４００）上に装着され、支持体（４００）に対して並進式に移動可能であり、爪（４１１）およびカムフォロワ（４１２）を備える少なくとも１つの結合部材（４１０）であって、カムフォロワ（４１２）が、キャップ（５）の径方向カム（５０４）と接触しており、少なくとも１つの結合部材（４１０）が、少なくとも、蓋（３）が静止位置にあるときに第１の位置、また、蓋（３）が開放位置にあるときに第２の位置をとるように構成され、第２の位置は、結合部材（４１０）のカムフォロワ（４１２）が径方向カム（５０４）の少なくとも１つの突出活性ゾーン（５０５）と共働し、第２の位置にある少なくとも１つの結合部材（４１０）が第１の位置に対して並進される、位置である、少なくとも１つの結合部材（４１０）と、
少なくとも１つの結合部材（４１０）および支持体（４００）にリンクされ、少なくとも１つの結合部材（４１０）を第１の位置に自動的に戻すように構成された、少なくとも１つの結合戻り部材（４１６）、とを備え、
ベース（２）が、少なくとも１つの周囲くぼみ（２０２）が設けられたネック部（２０１）を備え、蓋（３）の少なくとも１つの結合部材（４１０）の爪（４１１）が、蓋（３）が静止位置にあり、ポット（１）が閉じられたとき、ベース（２）のネック部（２０１）の少なくとも１つのくぼみ（２０２）内に係合されることを特徴とする、化粧ポット。
【請求項２】
蓋（３）が、位置戻り部材（４０７）を備え、位置戻り部材（４０７）が、結合プレート（４）の支持体（４００）にリンクされ、さらに、キャップ（５）にリンクされ、それにより、位置戻り部材（４０７）は、蓋（３）が静止位置にあるときに中立構成にあり、蓋（３）が開放位置にあるときに変形された構成にあり、それにより、位置戻り部材（４０７）は、蓋（３）を静止位置に自動的に戻すために、蓋（３）が開放位置にあるときに結合プレート（４）に対するキャップ（５）の反回転を誘発することを特徴とする、請求項１に記載のポット。
【請求項３】
位置戻り部材（４０７）が、結合プレート（４）の支持体（４００）内に形成されたスロット（４０４）内に保持され、キャップ（５）内に形成されたスロット（５０６）内にも保持されたブレードであることを特徴とする、請求項２に記載のポット。
【請求項４】
径方向カム（５０４）が、外側プロファイルを備えたカムであることを特徴とする、請求項１から３のいずれか一項に記載のポット。
【請求項５】
径方向カム（５０４）の少なくとも１つの突出活性ゾーン（５０５）が、対称平面を有し、それにより、蓋（３）のキャップ（５）および結合プレート（４）は、互いに対して、時計回り方向に、または反時計回り方向に回転するように構成されることを特徴とする、請求項１から４のいずれか一項に記載のポット。
【請求項６】
蓋（３）が、並進式に移動可能であり、爪（４１１）と、キャップ（５）の径方向カム（５０４）と接触するカムフォロワ（４１２）とを各々が備える少なくとも２つの結合部材（４１０）を備え、カム（５０４）が少なくとも２つの突出活性ゾーン（５０５）を備え、各々の結合部材（４１０）が、蓋（３）が静止位置にあるときに第１の位置、また、蓋（３）が開放位置にあるときに第２の位置をとるように構成され、各々の結合部材（４１０）の第２の位置は、各々の結合部材（４１０）のカムフォロワ（４１２）が径方向カム（５０４）の対応する突出活性ゾーン（５０５）と共働し、第２の位置にある各々の結合部材（４１０）が、蓋（３）が開放位置にあるときに第１の位置に対して並進される位置であることを特徴とする、請求項１から５のいずれか一項に記載のポット。
【請求項７】
蓋（３）が、少なくとも２つの結合部材（４１０）の各々を同時に自動的に第１の位置（３）に戻すように構成された単一の結合戻り部材（４１６）を備えることを特徴とする、請求項６に記載のポット。
【請求項８】
ベース（２）が、蓋（３）の結合プレート（４）を、少なくとも１つの結合部材（４１０）が第１の位置にあるときにベース（２）に対して配向して保つように構成された少なくとも１つのリブ（２０３）を備えることを特徴とする、請求項１から７のいずれか一項に記載のポット。
【請求項９】
少なくとも１つの突出活性ゾーン（５０５）が、安定した作動位置を形成するように構成されることを特徴とする、請求項１から８のいずれか一項に記載のポット。
【発明の詳細な説明】
【技術分野】
【０００１】
本出願は、ポットの分野、特に化粧ポットの分野に関する。
【背景技術】
【０００２】
従来、化粧品ポットは、一般的にガラスまたはプラスチックのベース、すなわち、ネック部がその上に載せられた容器を備え、このネック部の直径のサイズは、開口部を広くするために、ベースの断面寸法に近いものである。ベースは、一般的にはネック部上にねじ込まれる蓋によって閉じられる。蓋は、さらに、一般的には、含まれた製品を良好に保つように閉じるための密封をもたらす役割を有するシールが装備される。
【０００３】
しかし、ネック上に存在するねじ山形態のねじ山により、特定の高さにわたってベースの他の部分から離れたネック部およびさらに比較的高い高さの蓋が必要とされ、換言すれば、ねじ山形態の存在が、ネック部の高さおよび蓋の厚さの寸法に関して制約を課しているという事実において欠点が存在する。
【０００４】
さらに、特にねじ込むための停止部を有さない丸いポットの場合、ポットを閉じるユーザは、蓋のベース上への締め付けがいつ終わるかを決定することが難しい。過剰な締め付けは、経時的に、シールの破壊を誘発する。不十分な締め付けは、シールが適切な密封をもたらさないことを意味する。いずれの場合も、空気がポットに入る恐れがあり、または処方物、すなわち、ポット内に含まれた生成物の揮発性生成物が、ポットから逃げる恐れがあり、それにより、処方物が経時的に劣化するというリスクが生じる。
【０００５】
ベースおよび蓋が同一の輪郭を有する非円形の形状のポットの場合、ポットは、しばしば、停止部を有し、この停止部は、ベースと蓋の間に常に一致形状を有するように、ベースに対する蓋の角度進行を限定する。停止部の存在は、こうして、過剰ねじ込みを防止し、したがってシールが破壊された場合に密封の損失を補償する。
【０００６】
たとえば、キャップを容器上にクリップ留めすることによって閉じ、弾性リング上に作用する少なくとも１つのボタンを押し込むことによって開放することを可能にする、通常はマニキュア液用のボトルを記載する米国特許出願公開第２００４／００６７０９１号明細書が、知られている。ばねデバイスが、さらに、ボトルの流体密封閉鎖をもたらしてこれが含む製品のいかなる漏出も回避することを可能にする。しかし、そのようなキャップは、特にかさばり、特にデバイスをその中に収容するために比較的高い高さを引き起こすという欠点を有する。さらに、そのような実施形態は、ネック部の直径が小さいボトルに適しているが、かなり大きい直径を有するネック部のポットに適用することは難しくなり得る。
【先行技術文献】
【特許文献】
【０００７】
【特許文献１】米国特許出願公開第２００４／００６７０９１号明細書
【発明の概要】
【発明が解決しようとする課題】
【０００８】
前述の欠点の少なくとも一部を解決するために、本出願は、ポットを開閉するために使用が簡単である蓋であって、閉鎖の確実性を確保することを可能し、さらに他の利点も導く、蓋を備えたポットを提供することを目的とする。
【課題を解決するための手段】
【０００９】
この目的を達成するために、第１の態様によれば、ベースと、ベースを閉じるための蓋とを備える化粧ポットであって、
蓋は、結合プレートと呼ばれる内側部分と、キャップと呼ばれる外側部分とを備え、結合プレートおよびキャップは、互いに対して回転可能に装着され、それにより、蓋は、静止位置と、結合プレートおよびキャップが静止位置に対して互いに対して回転される開放位置とをとるように構成され、
−キャップは、少なくとも１つの突出活性ゾーンを形成するプロファイルによって画定された径方向カムを備え、
−結合プレートは、
・支持体と、
・支持体上に装着され、支持体に対して並進式に移動可能であり、爪およびカムフォロワを備える少なくとも１つの結合部材であって、カムフォロワは、キャップの径方向カムと接触しており、少なくとも１つの結合部材は、少なくとも、蓋が静止位置にあるときに第１の位置、また、蓋が開放位置にあるときに第２の位置をとるように構成され、第２の位置は、結合部材のカムフォロワが径方向カムの少なくとも１つの突出活性ゾーンと共働し、第２の位置にある少なくとも１つの結合部材が、第１の位置に対して並進される、位置である、少なくとも１つの結合部材と、
・少なくとも１つの結合部材および支持体にリンクされ、少なくとも１つの結合部材を第１の位置に自動的に戻すように構成された少なくとも１つの結合戻り部材と、を備え、
ベースは、少なくとも１つの周囲くぼみが設けられたネック部を備え、蓋の少なくとも１つの結合部材の爪は、蓋が静止位置にあり、ポットが閉じられたとき、ベースのネック部の少なくとも１つのくぼみ内に係合されることを特徴とする、化粧ポットが、提供される。
【００１０】
ここでは、少なくとも１つの長手方向停止部を、すなわちポットに対して縦方向に形成するように構成されたくぼみが考えられ、それにより、内側および外側の部分を互いに対して枢動させ、フックを形成する結合部材の爪を自由にするために、すなわち爪がくぼみから自由になることができるように爪をネック部から離すために蓋を回転させなければ、蓋を引っ張ってポットを開くことは不可能である。
【００１１】
結合プレートに対するキャップの回転は、爪の移動を誘発し、それによってたとえば爪をベースのネック部内に形成されたくぼみから係合解除することを可能にする。相対回転が蓋の内側および外側部分に対して加えられないとすると、蓋は静止位置にあり、そのさまざまな構成要素には力は加えられない。蓋の磨耗は、こうして抑えられる。
【００１２】
ポットの開放は、外側キャップおよび内側プレートの相対回転によって達成されるが、内側プレートとポットベースのネック部との間のあらゆる相対回転は、極めて限定され、またはさらには回避され、それにより、存在し得るシールは、主に圧縮式に作動して、ねじ込み式蓋の場合によくあるせん断力を最小限に抑える。
【００１３】
シールは、接着材料から、すなわち小さいすべり品質を有して作製され得る。密封は、それによって、効率的に達成することが容易であり、材料および／または実施形態の幅広い選択が、シールをもたらすために可能である。
【００１４】
さらに、ポットは、ねじ山形態をネック部上に有さないことが可能であるため、審美的なものになる。ねじ山形態の存在によって課されたネック部の高さおよび蓋の厚さに対する寸法的制約は、それによって回避され得る。
【００１５】
そのような蓋もまた、蓋を分解する手段をとらなければ、場合によっては少なくとも１つの爪を除いて、その機構部分がユーザに見えないという事実により、審美的なものになる。そのような隠された機構は、洗練された形状を有する蓋を得ることを可能にする。
【００１６】
蓋は、さらに、容積の高い変動性を可能にし、それによって、特に高さに関して含む機構のかさばりによって制約されることなく、種々のサイズを生み出すことが可能になる。
【００１７】
蓋は、したがって、たとえばいかなる既存のポットにも容易に適用可能であり、また、後で、同じ製品または異なる容量を有する別のポットに再適用されてもよい。これは、たとえば、蓋をカスタマイズすることを可能にし、同じ製品のポットであるか、異なる製品のポットであるかに関係なく、どのような容量であっても、種々のポットの一連の使用において蓋を保つことができる。
【００１８】
さらに、ねじ込み式蓋とは対照的に、ネック部はここでは、必ずしも円形断面のものではない。蓋が合致するおよび／または適用された形状を有する限り、任意の特定の形状、楕円形、長楕円形、正方形、多角形、または他の形状を有するネック部を有することが可能である。
【００１９】
キャップの径方向カムの場所において、「突出活性ゾーン」は、ここでは、カムフォロワをたとえば径方向に外方向に押し遣ることを可能にするカムの部分を示す。突出活性ゾーンは、たとえば、円の伸開線の出っ張りまたはセグメントの形状を有する。好ましくは、カムプロファイルは、規則的な輪郭を有して、がたつきのない、キャップに対する結合プレートのより穏やかな回転運動をもたらす。
【００２０】
カムは、蓋の中心に向かって位置する。これは、蓋の周囲とカムが位置付けられるゾーンとの間にレバーアーム効果を生み出す。この理由のため、プレートに対するキャップの相対回転を誘発するためにポットのベースと蓋の間にユーザが加えなければならないトルクは、小さくなる。どのような場合であっても、トルクは、従来のねじ込み式蓋、すなわち、ユーザによって加えられるトルクが、蓋とネック部の間の蓋の周囲に局所化された摩擦力に打ち勝たねばならない場合のトルクより低い。
【００２１】
第２の位置にある少なくとも１つの結合部材は、したがって、第１の位置に対して、カムの回転の中心に対して径方向に並進される。カムによって誘発されたそのような移動は、蓋の使用においてポットの容易な開放をより確実にすることを可能にする。
【００２２】
したがって、少なくとも摩擦の効果により、結合プレートは、キャップが回転されるとき、少なくとも１つの爪がネック部の少なくとも１つのくぼみから係合解除するまで、ネック上に配向されて保持される。
【００２３】
ポットは、こうして密閉して閉じられ、特にそのような蓋がポットを、場合によっては約４分の１回転（９０°）より小さいまたはこれと等しい、またはさらに好ましくは約４５°、またはこれよりさらに小さい、たとえば約１５°または約１０°の移動によって開放することができるという事実により、簡単かつ迅速な操作によって開放され得る。
【００２４】
開いた後、ポットは、蓋のクリップ留めによって再度容易に閉じられる。換言すれば、ポットは、蓋を元の位置に戻し、結合部材がネック部のリムを通過し、リム下でくぼみ内に係合するよう蓋を押し込むだけで閉じられる。
【００２５】
有利な配置によれば、蓋は、位置戻り部材を備え、位置戻り部材は、結合プレートの支持体にリンクされ、さらに、キャップにリンクされ、それにより、位置戻り部材は、蓋が静止位置にあるときに「中立」と称される構成にあり、蓋が開放位置にあるときに変形された構成にあり、それにより、位置戻り部材は、蓋を静止位置に自動的に戻すために、蓋が開放位置にあるときに結合プレートに対するキャップの反回転を誘発する。
【００２６】
そのような位置戻り部材は、カムと共働して、蓋の静止位置への戻りを容易にする。より詳細には、カムは、好ましくは、静止位置が下側部分に対する上側部分の安定した均衡の位置になり、開放位置が、好ましくは、蓋が、蓋のさまざまな構成要素の機械力が最小限である静止位置に自然に戻りやすくなるような不安定な位置であるように構成される。位置戻り部材の存在は、この態様が、蓋が静止位置に常に戻るよう促すように強化されることを可能にする。
【００２７】
しかし、構造の別の実施形態によれば、開放位置もまた、蓋が開放位置にとどまることができるような安定した位置になるように構成される蓋を企図することが可能である。たとえば、カムの少なくとも１つの突出活性ゾーンは、安定した開放位置を形成するように構成される。たとえば、少なくとも１つの突出活性ゾーンは、このために、平坦にされた頂点を含む。さらに、開放位置において増大した抵抗点を作り出す、活性ゾーンの局所変形が、もたらされ得る。
【００２８】
この場合、ポットは、蓋をベース上に置き、これをベースに対して、開放に導く方向とは反対方向に回転させることによって閉じられる。
【００２９】
好都合な例の実施形態によれば、位置戻り部材は、ブレードである。ブレードは、たとえば、結合プレートの支持体内に形成されたスロット内に保持され、キャップ内に形成されたスロット内にも保持される。たとえば、結合プレートのスロットおよびキャップのスロットは、蓋が静止位置にあるとき、互いに対して位置合わせされ、または少なくとも、蓋が静止位置にあるときに、位置戻り部材が中立位置にある、すなわち変形されないように構成される。位置戻り部材はまた、キャップと蓋の結合プレートの間の回転移動抑制体として作用する。
【００３０】
そのような位置戻り部材は、したがって、特に、製造することが容易であり、蓋の他の構成要素に組み付けることが容易である。
【００３１】
有利な例の実施形態によれば、径方向カムは、外側プロファイルを備えたカムである。
【００３２】
そのようなカムは、したがって、たとえば、少なくとも１つの結合部材を外方向に押し遣ることを可能にし、それによってたとえば爪がベースのネック部の外側に配置された状態でベース上の蓋をつかむことが容易になり、その結果、たとえば衛生状態をより良好にするために、ベース内に含まれた製品と爪が接触することを回避することができる。
【００３３】
しかし、ベースのネック部の内側に配置されるように構成された、または他の方向に、すなわちポットの中心に向かって押されるように適合された爪もまた、ポットの寸法が、たとえば蓋のそのような構成をより好都合にする場合に企図され得る。この目的を達成するために、内側プロファイルを備えた径方向カムが、そのため好まれ得る。
【００３４】
特に有利な例によれば、径方向カムの少なくとも１つの突出活性ゾーンは、対称平面を有し、それにより、蓋のキャップおよび結合プレートは、互いに対して、時計回り方向に、または反時計回り方向に同じようにして回転するように構成される。
【００３５】
そのような蓋は、したがって、内側部分を外側部分に対して、一方の方向または他方の方向に同じようにして回転させることを可能にすることにより、操作を左利きまたは右利きのユーザにとって同様に容易な操作を可能にする。
【００３６】
好適な例の実施形態によれば、蓋は、並進式に移動可能であり、爪と、キャップの径方向カムと接触するカムフォロワとを各々が備える、少なくとも２つの結合部材を備え、カムは、少なくとも２つの突出活性ゾーンを備え、各々の結合部材は、蓋が静止位置にあるときの第１の位置と、蓋が開放位置にあるときの第２の位置とをとるように構成され、各々の結合部材の第２の位置は、各々の結合部材のカムフォロワが径方向カムの対応する突出活性ゾーンと共働し、第２の位置にある各々の結合部材が、蓋が開放位置にあるときに第１の位置に対して並進される、位置である。
【００３７】
通常、カムは、結合部材と同じ数の突出活性ゾーンを有し、各々の結合部材は、爪およびカムフォロワを備える。結合部材のすべては、蓋がこれらの少なくとも２つを有するとき、好ましくは、同一である。
【００３８】
さらに、カムは、各々の突出活性ゾーンが、結合プレートに対するキャップの各々の回転角度に対する同じ半径を有するように構成され、それにより、所与の回転角度に対して、各々の対応する結合部材は、同じ距離だけ同時に移動される。これにより、蓋が使用されるとき、ポットの明確に定められた、容易な開放をもたらすことが可能になる。
【００３９】
突出活性ゾーンは、結合部材のように、好ましくは、互いに対して定間隔を有して配設される。したがって、蓋が２つの結合部材および２つの突出活性ゾーンをカム上に備える場合では、これらは、好ましくは、対角線上にある。または、蓋が４つの結合部材および４つの突出活性ゾーンをカム上に備える場合では、これらは、好ましくは、９０°ごとに配設される。
【００４０】
しかし、そのそれぞれの配設は、蓋またはこれが設けられるポットの形状が必要とする場合、各々の結合部材が突出活性ゾーンと同期される限り、不定間隔になることができる。
【００４１】
特に好都合な配置によれば、蓋が少なくとも２つの結合部材および少なくとも２つの対応する突出活性ゾーンをカム上に備えるとき、蓋は、同時に少なくとも２つの結合部材の各々を第１の位置に自動的に戻すように構成された単一の結合戻り部材を備える。
【００４２】
単一の結合戻り部材の存在は、結合部材の各々の移動の同期を確実にすることをより可能にする。これは、さらに、構成要素の数を最小限にすることによって蓋を製作することを容易にする。
【００４３】
ただし、さまざまな結合部材は、互いから独立したままである。しかし、たとえば、ある結合部材がロックされる場合、これは、他の結合部材の適切な作動に対する妨害にはならない。換言すれば、単一の結合部材の存在は、すべての戻り移動が同期化される場合であっても、これらの結合部材が独立的に戻ることを可能にする。
【００４４】
そのような結合戻り部材は、たとえば、環状またはリングであり、たとえば、ポリマーまたはエラストマーのものであり、またはたとえば金属ばね、ブレードばね、または引張ばねである。環状形の結合戻り部材は、たとえば、蓋の結合プレートの支持体内および各々の結合部材内のくりぬかれた溝によって共同的に形成されたチャネル内に配設され、それによって好ましくは、蓋が静止位置にあるときに規則的な円を形成する。したがって、蓋が開放位置にあるとき、弾性の戻り部材は、次いで、変形され、反応として、結合部材をその第１の位置に戻し、そして蓋を静止位置に戻しやすくする。
【００４５】
さらに、ベースネック部の少なくとも１つのくぼみは、連続的または非連続的であると考えられる。
【００４６】
たとえば、ベースは、少なくとも１つの結合部材が、蓋がベース上にある状態で第１の位置にあるとき、蓋の結合プレートをベースに対して配向して保つように構成された少なくとも１つのリブを備える。
【００４７】
ネック部もまた円形である円形輪郭を有するポットの場合、ポートベースに対する蓋の回転割り出しは、通常、必要ではない。くぼみは、そのため、連続的になることができ、したがって、ネック部の周りすべてにチャネルを形成する。少なくとも１つの結合部材は、そのため、任意の場所にある、単一であるくぼみ内に係合することができる。
【００４８】
しかし、たとえば、ポットが非円形の輪郭を有し、好ましくは（ネック部が円形である場合であっても）ベースに対する蓋の位置割り出しを伴う場合、くぼみは、非連続的であると考えられる。すなわち、ネック部は、そのため、配向停止部として働くたとえば少なくとも１つのリブ、すなわち１つまたは複数のリブを備える。そのようなリブは、したがって、ベースに対する蓋の回転を抑制するのに適している。したがって、蓋がベースに対して回転されてポットを開くとき、少なくとも１つのリブは、その回転をロックし、したがってキャップを結合プレートに対して枢動させる。少なくとも１つのリブはまた、たとえば、ベースおよびリブが、互いに対する特定の位置合わせに適合しなければならない場合、ベースに対する蓋の位置決めを容易にすることもできる。閉鎖時、結合部材が少なくとも１つのくぼみに入るようにネック部上に蓋を係合した後、ユーザは、次いで、結合部材とリブの衝突によって引き起こされる抵抗が感じられるまで、蓋の回転を続ける。蓋の解放時、これは、その静止位置に戻され、この位置では、蓋をベースに対して適切な位置に置く。しかし、単一のリブの場合、非連続的なものである１つだけのくぼみが存在することが注記され得る。このため、たとえば、いくつかの結合部材を同じくぼみ内に係合させることが可能である。
【００４９】
したがって、ベースは、必要な場合、いくつかのくぼみおよびいくつかのリブ、たとえば、結合部材と同じ数のくぼみを備えることができ、そのくぼみは、リブによって互いから分離される。
【００５０】
可能な例の実施形態によれば、各々のリブは、ネック部の周囲リムと同一平面であり、それにより、第２の位置にある結合部材は、このとき同時に、リブおよび周囲リム上を通過してそのくぼみから係合解除する能力を有する。
【００５１】
別の可能な例の実施形態によれば、各々のリブは、ネック部の周囲リムに対して後退される。この場合、少なくとも１つの結合部材は、最初に、周囲リムの下方に係合して、リブに面し、次いでその後、蓋が回転される間、くぼみのより奥に係合すると考えられる。
【００５２】
有利な実施形態によれば、くぼみの各々の幅は、作動あそびまで低減されたあそびの量を有して結合部材の爪を受け入れるように調整される。換言すれば、少なくとも１つのくぼみは、対応する結合部材の爪の幅とほぼ等しい幅を有する。「幅」は、ここでは、ネック部の円周に沿った寸法を示す。そのような実施形態では、蓋は、限定された数の角度位置、たとえば、１つの位置、または、ネック部が４つのくぼみを含む場合を考える４つの位置でベース上に配置される。４つの位置は、蓋が、たとえば正方形である場合のポットの面と一致するように配置されることを可能にする。単一の位置は、ポットベースおよび蓋が、非対称または任意の形状の断面を有し、ポット上の蓋の単一の角度位置が、ポットベースと蓋の間の形状の一致を可能にする場合に対応する。さらに、ネック部は、前述のような円形断面、またはベースの断面に対応する他の断面を有することができる。したがって、たとえば、正方形の全体断面のポットの場合、ネック部は、ほぼ正方向形の形状を有すると考えられる。この場合、くぼみは、好ましくは、正方形の側部の各々の中央に向かって形成される。
【００５３】
本発明は、限定するものではない説明的例によって与えられた以下の詳細な説明を、添付の図を参照して読み取ることによって良好に理解され、その利点は、より明確になるであろう。
【図面の簡単な説明】
【００５４】
【図１】互いに位置合わせされたベースおよび蓋を備える、正方形輪郭を有する化粧ポットの第１の例の実施形態の図である。
【図２】円形状のネック部を備える、本発明の第１の実施形態による図１のポットのベースの図である。
【図３】本発明の第１の実施形態による図１の蓋の結合プレートの図である。
【図４ａ】図３の結合プレートの、上からの分解図である。
【図４ｂ】図３の結合プレートの、下からの分解図である。
【図５】本発明の第１の実施形態による結合部材の第１の例の実施形態の図である。
【図６】本発明の第１の実施形態による、図３および図４の結合プレートと共働するように適合される、図１の蓋のキャップの内側、または下からの図である。
【図７】キャップの径方向カムの代替の実施形態の図である。
【図８】図１のポットの対角線上の断面斜視図である。
【図９】図８の平面ＩＸ−ＩＸ上の蓋の断面図である。
【図１０】互いに対して位置合わせされたベースおよび蓋を備える、正方形輪郭を有する化粧ポットの第２の例の実施形態の図である。
【図１１】正方形形状のネック部を備える、本発明の第２の実施形態による図１０のポットのベースの図である。
【図１２】開いている、図１０のポットの斜視図である。
【図１３】本発明の第２の実施形態による、互いから分離された図１０の蓋の結合プレートおよびキャップの図である。
【図１４】図１０のポットの蓋の分解図である。
【図１５】本発明の第２の実施形態による結合部材の図である。
【図１６】図１０のポットの蓋の図１７に概略的に示す平面ＸＶＩ上の断面図である。
【図１７】静止位置にある図１０のポットの蓋の下からの図である。
【図１８】開放位置にある図１０のポットの蓋の下からの図である。
【発明を実施するための形態】
【００５５】
前述の図に表された同一の部材は、同一の番号参照によって特定される。
【００５６】
本説明は、正方形輪郭のポットを参照して与えられるが、当然ながら、円形または任意の輪郭のポットにも有効である。
【００５７】
実際のところ、従来的には、化粧ポット１は、丸い、または図１に表されるもののようにほぼ正方形の輪郭を有する。
【００５８】
ポット１は、ベース２と、ポット１を開閉することを可能にする蓋３とを備える。
【００５９】
図２に見ることができるように、ベース２は、容器２００と、容器２００の上に載るネック部２０１とを備える。ネック部は、容器２００内に含まれる製品へのアクセスを可能にする開口部を画定する。ネック部および開口部の寸法は、ベースの断面寸法に近いものである。どのような場合でも、ポットの開口部は、片手の少なくとも１つの指が通過することを可能にするのに十分な幅のものであり、すなわち、これは、約２５ミリメートルより大きいまたはこれに等しい横断方向の断面寸法を有する。
【００６０】
ネック部２０１は、ここでは、１つのくぼみ２０２と、１つの周囲リム２０４とを備える。好ましくは、リム２０４の上側部分は、丸められまたは斜めにされて、部材がネック部に対して縦方向に移動される場合に斜面効果を作り出す。この例の実施形態では、ネック部２０１は、円形断面であるが、これは、たとえば図１０から図１８を参照してこれ以後説明される別の形のものでもよい。ネック部２０１は、したがって、ここではねじ山またはねじ斜面を有さず、従来のネック部と比較して、より低い高さを有する。たとえば、例として、本発明による正方形ポットは、約６．３ｍｍ高さのネック部、および約３．５ｍｍの高さおよび約１５ｍｍの深さのくぼみを有する約９５ｍｍの高さを有する。同じサイズの従来のポットの場合、ネック部の高さは、約１０．３ｍｍ程度になると考えられる。しかし、これらの値は、例としてのみ与えられる。
【００６１】
ベース２は、さらに、任意選択のリブ２０３を備える。存在する場合、そのようなリブ２０３は、くぼみ２０２を局所的に遮断する。換言すれば、くぼみ２０２は、そのため非連続なものであり、少なくとも１つの部分を有する。そのようなリブ２０３は、くぼみ２０２内に取り付けられ、その中を通過する部材を横方向に保持し、そして配向停止部を形成することができる。これ自体は、リム２０４に対して、またはリム２０４と同一平面になるようにくぼみの深さに等しい厚さだけ後退され得る。ベース２は、さらに、たとえばネック部２０１周りに定間隔に分散されたいくつかのリブ２０３を備えると考えられる。リブまたは複数のリブ２０３の使用は、これ以後、説明される。
【００６２】
ベースは、任意の適切な材料、特にガラスまたはプラスチック材料から形成される。これは、透明または不透明になることができる。これは、従来のポットの場合のように化粧品を含む装着されたタブを受け入れるように提供され得る。
【００６３】
図３から図６に示すように、蓋３は、本発明の第１の例の実施形態による、図３に表される結合プレート４を備え、結合プレート４は、本発明の第１の例の実施形態による、図６に表されるキャップ５によって覆われる。
【００６４】
キャップ５および結合プレート４は、共働して、使用中のポット１の容易な開放および確実な閉鎖を可能にする。
【００６５】
このために、結合プレート４は、支持体４００を備える。
【００６６】
ポット１の外側形状がどのようなものであっても、支持体４００は、好ましくは、キャップ５に対する回転を促すために、回転体の壁輪郭４００ａを有する。したがって、支持体４００は、ここでは、全体的に円筒形状を有する。
【００６７】
支持体４００はまた、キャップ５に向かって配向されるように設けられた上側面４０１ａと称される面と、上側面４０１ａに対してほぼ平行であり、ベース２に向かって配向されるように設けられた、下側面４０１ｂと称される面（これらの面は、たとえば図４ａおよび４ｂに見ることができる）とを備える閉鎖プレート４０１を備える。
【００６８】
支持体４００は、任意の適切な材料、特に金属から機械加工することによって、またはプラスチックで成形することによって、たとえば、上側面４０１ａをほぼ平面にして形成される。
【００６９】
上側面４０１ａと同じ側に、支持体４００は、ここでは、上側面４０１ａに対して起伏して形成された中央スタッド４０３を備える。中央スタッド４０３は、全体的に円筒形状のものであり、それにより、中央スタッド４０３の外側輪郭表面４０３ａは、支持体４００の輪郭壁４００ａの少なくとも１つの円筒部分に対してほぼ平行である。換言すれば、中央スタッド４０３は、有利には、支持体４００の上側面４０１ａ上の中心に置かれ、中央スタッド４０３の輪郭表面４０３ａおよび支持体４００の輪郭壁４００ａは、ここでは、２つの同軸円筒形であり、このとき、中央スタッド４０３の輪郭表面４０３ａは、支持体４００の輪郭壁４００ａの半径より小さい半径を有している。中央スタッド４０３は、有利には、キャップ５の回転のための枢軸を形成するように構成され、これはこれ以後説明される。
【００７０】
中央スタッド４０３は、ここではスロット４０４を備える。スロット４０４は、ここでは、２つの部分から形成される。ここではＵ字形状（またはＣ字形状）の第１の部分４０５は、均一な幅のものであり、第２の部分４０６は、ここでは、第１の部分４０５から広くなり始めながら広げられたより幅広い形態のものである。スロット４０４は、弾性の位置戻り部材４０７を受け入れるために設けられ、この位置戻り部材４０７は、キャップ５が結合プレート４に対して回転されるとき、キャップ５を結合プレート４に対して静止位置に戻すように働く。位置戻り部材４０７は、たとえば、ここではブレードばねである。さらに、スロット４０４は、ここでは、中央スタッド４０３の輪郭表面４０３ａによって表された円筒の幾何学的中央軸である中央スタッド４０３の中央軸を介して通過するように中央スタッド４０３に対して配置される。ブレードばね４０７は、好ましくは、均一の厚さおよび高さのものである。これは、たとえば、スロット４０４内に挿入され、それによってたとえば接着剤などの他の締め付けまたは組み立て手段に依存することを回避することが可能になる。ブレードばね４０７は、さらに、ここでは、スロット４０４の第１の部分４０５に相補的な形状、すなわちＵ字形状（またはＣ字形状の）の第１の湾曲した部分と、ここでは直線である第２の部分とから構成される。したがって、ブレードばね４０７は、スロット４０４の第１の部分４０５によって中央スタッド４０３内に埋め込まれ、その第２の部分は、スロット４０４の第２の部分４０６内で移動することができる。中央スタッド４０３に対する、したがって支持体４００に対するブレードばね４０７のより良好な支持およびより良好な安定性を確実にするために、スロット４０４の第１の部分４０５の幅は、好ましくは、ブレードばね４０７の厚さに等しい。最後に、ブレードばね４０７は、好ましくは、これが中央スタッド４０３の輪郭表面４０３ａを超えて延びるような長さのものであり、それによって、ブレードばね４０７が、ここではキャップ５のスロット５０６と同時に共働して、位置戻り部材の役割を果たすことを可能にし、これは以下に詳述される。さらに、この例の実施形態では、ばねブレード４０７の自由端部、すなわち中央スタッド４０３を超えて延びるものは、２つの結合部材４１０の中間内に位置する。しかし、これは、図１３に示されるように結合部材に面して位置することができる。
【００７１】
上側面４０１ａと同じ側に、支持体４００は、ここでは輪郭壁４００ａと並置する隆起した部分４０８を備える。
【００７２】
さらに上側面４０１ａの同じ側に、支持体４００は、さらに、環状溝４０９を備える。
【００７３】
環状溝４０９は、隆起した部分４０８からくりぬかれる。溝４０９は、ここでは、チャネル形状であり、通常、中心が支持体４００のものと同一である円を描く。
【００７４】
ベース２の蓋３を把持するために、結合プレート４は、少なくとも１つの結合部材４１０を備える。この例の実施形態では、これは、支持体４００の周囲において、互いから等しい距離を離して、すなわちここでは９０°ごとに配置された４つの同一の結合部材４１０を備える。
【００７５】
これを達成するために、プレートは、たとえば、１つの結合部材４１０ごとに１つの空間４１５、すなわちここでは４つの空間４１５を含む。したがって、ここでは、空間４１５は、互いから等しい距離を離して配置され、すべて同一である。
【００７６】
各々の空間４１５は、ここでは、輪郭壁４００ａ内および隆起した部分４０８内、したがって溝４０９内に非連続部を作り出す。隆起した部分および溝は、こうしてここでは、すべて同一である４つの部分を含む。
【００７７】
結合部材の各々は、摺動式にこれを径方向に案内する空間４１５の１つ内に収容される。
【００７８】
図５がより詳細に示すように、各々の結合部材４１０は、爪４１１およびカムフォロワ４１２を備える。この例の実施形態では、爪４１１およびカムフォロワ４１２は、結合部材４１０の背部壁４１３の同じ面から延び、結合部材４１０が支持体４００上に装着された後、支持体４００の中心に向かって配向される。結合部材４１０は、したがって、Ｃ字形状である。
【００７９】
爪４１１は、したがって、リム２０４の下方のくぼみ２０２内に係合することによってベース２のネック部２０１を把持するように構成される。爪４１１は、ここでは、支持体４００の中心に向かって湾曲した別個のリムの形態を有する。さらに、爪４１１は、ここでは先端面取り部４１１ａを有し、この先端面取り部４１１ａは、リム２０４の丸い形態と共働して、たとえば蓋がポットを閉じるためにクリップ留めされたとき、くぼみ２０２内の爪の係合時に爪４１１によってリム２０４周りを通過することを容易にする。最後に、爪４１１は、ここでは、ネック部２０１の円形周囲に一致するように丸くされ、この円形周囲と共に共働するために設けられた自由端部を有する。
【００８０】
爪４１１と、カムフォロワ４１２と、背部壁４１３とを備える各々の結合部材４１０は、好ましくは、一体型として、たとえば金属から、またはプラスチック材料の成形によって形成される。
【００８１】
カムフォロワ４１２は、ここでは、支持体４００の上側面４０１ａに対して平行な平面内においてローブ形状にされ、均一な厚さのものである。
【００８２】
通常、カムフォロワ４１２が、上側面４０１ａに対して平行な平面内で丸くされ、上側面４０１ａに対して直交するカムフォロワ４１２の中央平面に対して対称的である形状を有することが好ましく、それによって結合プレート４に対するキャップ５の回転方向がどのようなものでも定まった運動を確実にする。
【００８３】
カムフォロワ４１２と背部壁４１３との間には、溝４１４がここでは形成される。結合部材４１０の各々の溝４１４は、環状溝４０９の部分と位置合わせして位置付けられるように構成され、それによって、結合部材４１０が空間４１５内の所定位置にあるとき、連続的な溝を形成する。環状溝４０９の幅は、ここでは、結合部材４１０の溝４１４のものより大きい。これは、ポットの第１の静止位置と第２の開放位置の間の結合部材４１０の移動の振幅によって増大される溝４１４の幅と少なくともほぼ等しい。この移動の振幅は、キャップ５のカムプロファイル５０４によって決定され、これは、これ以後説明される。これは、たとえば、結合戻り部材４１６が圧迫またはせん断にさらされることを回避することを可能にする。
【００８４】
図３に示されるように、結合戻り部材４１６が、環状溝４０９および結合部材４１０の溝４１４の部分内に配設される。結合戻り部材４１６は、径方向のあそびを有さずに溝４１４内に係合される。弾性的に変形することにより、これは、外側に向かって大きくなる幅を有する溝４０９の部分内で移動することができる。結合戻り部材４１６は、したがって、各々の結合部材４１０および支持体４００にリンクされ、これらを互いに対して適所に保持することを可能にする。結合戻り部材４１６は、ここでは、結合部材４１０をプレート４の中心に向かって戻す。各々の結合部材４１０の背部壁４１３は、このとき、空間４１５内の閉鎖プレート４０１の周囲を支承するようになる。さらに、たとえば、ここでは弾性リングである結合戻り部材４１６が、溝４０９の少なくとも１つの部分上に、たとえば内側に向かって結合されると考えられ、それによって結合戻り部材４１６の適所における良好な維持、したがって部材４１０の戻りを促進し、容易にする。
【００８５】
それによって、作動の２つの位置が、結合部材４１０に対して定められる。ポットの静止または閉鎖位置と称される第１の位置では、結合戻り部材４１６は、溝４０９の部分の小さい直径の縁を支承し、結合部材４１０を、プレート４の中心に向かって移動された位置に保持する。ポットの開放位置と称される第２の位置では、結合部材４１０は、プレートの中心から離れるように移動される。これを行う際、これらは、結合戻り部材４１６を溝４０９の部分の大きい直径縁に向かって駆動することによってこれを伸張させる。結合部材４１０の爪４１１、溝４１４および溝４０９の部分は、第１の位置にある爪の自由端部が、ベースのリム２０４の最大直径である直径を有する想像上の円の内側に位置し、前記位置では、爪の自由端部は、その想像上の円の外側に位置するように構成される。
【００８６】
結合戻り部材４１６は、たとえば、ここでは弾性リング、たとえばゴム製のリングであるが、任意の他の弾性戻り手段が企図されてもよい。たとえば、結合戻り部材４１６は、溝４１４および溝４０９の部分内に配設された１つまたは複数のブレードばねを備えることができ、またはたとえば、結合部材４１０を中央スタッド４０３にリンクし、結合部材４１０をプレートの中心に向かって自動的に戻すように構成された引張ばねを備えることができる。
【００８７】
結合プレート４は、さらに、ここでは、内側面４０１ｂと同じ側に、閉鎖プレート４０１の下方に結合される閉塞プレート４１９（たとえば図４ａ、４ｂ、および８に見ることができる）を備える。
【００８８】
閉塞プレート４１９は、さらに、圧縮可能な平坦なシール４２０によって全体的に覆われ、この平坦なシールは、１０分の数ミリメートルの厚さを有し、閉塞プレート４１９とベース２のネック部２０１のリム２０４との間の周囲に圧縮されるように設けられる。平坦なシール４２０は、任意の適切な弾性的に圧縮可能な材料、特にポリエチレン、ＳＥＢＳ、エラストマー、または任意の他の等価の材料から形成される。結合プレートとネック部の間にはほとんどまたは全く相対回転が存在しないため、平坦なシール４２０はせん断で作用されず、またはほとんど作用されず、高い摩擦係数を有する比較的接着性の材料を選択することが可能である。
【００８９】
そのような圧縮可能な平坦なシール４２０の代わりに、懸架式に装着され、低減された厚さのシールによって飾られた閉塞プレート４１９が、企図されてよく、これは、たとえば、仏国特許出願公開第２９６９１２７号明細書に説明される。
【００９０】
図６は、本発明の第１の例の実施形態によるキャップ５を提示する。キャップ５は、ここでは本体５００から構成される。本体５００は、上側面５０１（図１に見ることができる）と、上側面５０１の裏にある底部５０３と、輪郭壁５０２とを備える。
【００９１】
上側面５０１は、ここでは、たとえばポット１が閉じられたときにユーザに見えるように設けられた外側面を構成する。上側面５０１は、たとえば、カスタマイズ可能であり、これは、たとえばニスの形態の装飾を受け入れるように構成される。図示されない任意選択によれば、上側面は、装飾を構成するために上に置かれた透かし細工の１つまたは複数の追加の層によって、またはたとえば、象眼の追加の層によって形成される。これは、プラスチック、木材、ガラス、または他の材料から製造され得る。上側面５０１は、たとえば平坦、またはドーム形状である。
【００９２】
輪郭壁５０２は、底部５０３に隣接したところから延びる。
【００９３】
これは、有利にはベース２の外側輪郭と同じ形状を有する外側輪郭表面５００ａと、内側輪郭表面５０３ａとを備える。さらに、外側輪郭表面５００ａは、上側面５０１の周囲に配置され、これは、上側面５０１の縁に接線方向である。底部５０３は、好ましくは、内側輪郭表面５０３ａおよび外側輪郭表面５００ａに対してほぼ直角である。内側輪郭表面５０３ａは、好ましくは少なくとも部分的に円形形状、すなわち、少なくとも部分的に円筒を形成するものであり、キャップ５が結合プレート４に対して枢動することができるように支持体４００の直径にほぼ等しい直径を有する。
【００９４】
キャップ５の外側輪郭表面５００ａの形状とは関係なく、内側輪郭表面５０３ａをキャップ５に対して中心に置くことが好ましい。換言すれば、ここでは、内側輪郭表面５０３ａによって形成された円筒形の中央軸は、好ましくは、キャップ５の幾何学的中心Ｃが通過する。
【００９５】
キャップ５は、さらに、径方向カム５０４を備える。径方向カム５０４は、ここでは、底部５０３上の追加の厚さの起伏部によって形成される。径方向カム５０４は、ここでは、支承面５０４ｃと、外側輪郭表面５０４ａと、内側輪郭表面５０４ｂとを有する。この例の実施形態では、支承面５０４ｃは、外側輪郭表面５０４ａおよび内側輪郭表面５０４ｂに対してほぼ直角であり、底部５０３に対してほぼ平行である。内側輪郭表面５０４ｂは、好ましくは、内側輪郭表面５０３ａに対して平行な円筒包絡線を画定する。さらに、内側輪郭表面５０４ｂの直径は、支持体４００の中央スタッド４０３の直径とほぼ等しく、その結果、キャップ５が結合プレート４に対して枢動できるように、スタッド４０３を内側輪郭表面５０４ｂによって画定された空洞内に収容することができる。
【００９６】
外側輪郭表面５０４ａは、少なくとも１つの突出活性ゾーン５０５を形成するプロファイルを画定する。したがって、径方向カム５０４は、外側プロファイルを有する径方向カムである。ここでは、これは、１つの結合部材４１０ごとに１つの突出活性ゾーン５０５の４つの突出活性ゾーン５０５を備える。
【００９７】
各々の突出活性ゾーン５０５は、ここでは、径方向カム５０４の半径が、外側輪郭表面５０４ａとキャップ５の中心Ｃとの間の、最小である距離に等しい２つの連続する位置間の径方向カム５０４の角度部分によって画定される。換言すれば、突出活性ゾーン５０５は、外側輪郭表面５０４ａとキャップ５の中心Ｃの間の、最小距離ｄ’より大きい距離ｄを有し、この距離は、その後増大し、角度部分に沿って少なくとも１つの位置まで低減し、この位置から距離ｄは、再度増大し始める。
【００９８】
この例の実施形態では、径方向カム５０４は特にキャップ５内の中心に置かれるため、これは、外側輪郭表面５０４ａとキャップ５の中心Ｃの間の距離ｄが最小であり、さらにここではその距離ｄ’と等しい４つの位置を有する。これらの連続する位置の２つの間では、外側輪郭表面５０４ａとキャップ５の中心Ｃとの間の距離ｄは、最大ｄ”に到達するまで大きくなり、それによって突出活性ゾーン５０５の頂点を画定することを可能にする。各々の突出活性ゾーン５０５は、したがって、外側輪郭表面５０４ａとキャップ５の中心Ｃの間の距離が最大である（したがって、距離ｄ”にこのように等しい）半径にある位置に対応する頂点を有する。好ましくは、外側輪郭表面５０４ａとキャップ５の中心Ｃとの間の距離ｄは、これが中心Ｃに対する距離ｄ’の位置に到達するまで、突出活性ゾーン５０５の頂点のそれぞれの両側で同じようにして変化する。換言すれば、各々の突出活性ゾーン５０５は、ここでは、対称平面を含む。
【００９９】
この例の実施形態では、径方向カム５０４は、したがって、丸くされたブランチを備えたほぼ十字の形状を有し、またはこれは、規則的プロファイルの４つのローブを有する。径方向カム５０４は、たとえば、ここでは、８つの対称平面を有する。換言すれば、すべての突出活性ゾーン５０５は、同一である。
【０１００】
したがって、距離ｄ’は、結合部材４１０の第１の位置を画定し、距離ｄ”は、最大遠隔のその位置を画定する。したがって、これらの２つの位置間に、ポットの開放を可能にする位置を構成することが可能である。実際、この位置を第１の位置の近くにすることが、好ましい。これは、特に、カムの磨耗の場合の保護手段を構成することを可能にする。
【０１０１】
たとえば、ポットの開放に、すなわち爪をくぼみから取り除くために必要な距離の変動は、約１．５ｍｍに対応する。
【０１０２】
キャップ５は、さらに、スロット５０６を備える。スロット５０６は、ここでは、径方向カム５０４を形成する追加の厚さの起伏部内にくりぬかれる。スロット５０６は、ここでは、内側輪郭表面５０４ｂに隣接するその端部に単一の入口を備える。すなわち、これは、その他方の端部では行き止まりである。スロット５０６は、ここでは、さらに、その入口に広げられた形状を有する。図示されない別の例の実施形態によれば、これは、外側輪郭表面５０４ａに隣接するその他方の端部に、広げられたまたは広げられない別の入口を備え、すなわち、これは、径方向カム５０４を形成する追加の厚さを通り抜けることができる。スロット５０６の寸法は、スロットがブレードばね４０７の自由端部を受け入れるように提供される。さらに、図６の例の実施形態では、スロット５０６は、径方向カム５０４の突出活性ゾーン５０５の対称平面内に形成される。図１３の例の実施形態では、対照的に、これは、２つの突出活性ゾーン間に形成される。
【０１０３】
したがって、キャップ５および結合プレート４が、組み立てられたとき（たとえば、図８および図９によって示されるように）、結合プレート４の支持体４００の輪郭壁４００ａは、キャップ５の内側輪郭表面５０３ａに面し、各々の結合部材４１０のカムフォロワ４１２は、径方向カム５０４の外側輪郭表面５０４ａと接触している。プレート４の中央スタッド４０３の輪郭表面４０３ａを超えて延びるブレードばね４０７の自由端部は、キャップ５のスロット５０６内に同時に挿入されて、ここでは位置戻り部材の役割を提供する。
【０１０４】
蓋３は、次いで、「静止」位置および「開放」位置をとるように構成される。
【０１０５】
キャップ５と結合プレート４の間の組み立ては、任意の適切な手段によって、たとえば結合プレート４をキャップ５の内側に保持するサークリップによって、またはたとえば結合プレート４をキャップ５内にスナップ係合することによって達成される。
【０１０６】
静止位置では、結合プレート４のキャップ５は、各々の結合部材４１０のカムフォロワ４１２が、たとえば図９によって示されるように、２つの連続する突出活性ゾーン５０５間に配置される、すなわちキャップ５の中心Ｃから距離ｄ’にある径方向カム５０４の外側輪郭表面５０４ａ上の位置に面するように互いに対して配向される。各々の結合部材４１０は、このとき、第１の位置と称される位置にある。爪４１１の端部は、そのため、ベース２のリム２０４の最大直径である直径を有する想像上の円の内側に位置付けられる。蓋は、たとえば図８によって示されるようにこれがベース２上にあるとき、またはこれがポットのベース２から、プレート４とキャップ５の間にいかなる回転力も加えずに取り外されたとき、この静止位置を占有する。
【０１０７】
結合戻り部材４１６ならびに結合プレート４に対するキャップ５の位置戻り部材４０７は、次いで、「静止」構成とも称される、最小変形の中立構成にある。さらに、キャップ５のスロット５０６は、ここでは、位置戻り部材４０７が変形されないように、ここでは部分４０６であるスロット４０４の少なくとも一部と位置合わせされる。
【０１０８】
静止位置から開放位置を達成するために、キャップ５は、結合プレート４に対して回転される。各々のカムフォロワ４１２は、これが、ポット１を開放することができる、中心Ｃに対する所定の距離を達成するまで、対応する突出活性ゾーン５０５に沿って移動する。所定の距離は、キャップ５と結合プレート４の間の所定の回転角度に対応する。所定の距離は、たとえば、ｄ’とｄ”の間に含まれる全体距離ｄである。
【０１０９】
この例の実施形態では、距離ｄ”は、静止位置に対する４５°の回転に対応する。したがって、ｄ’とｄ”の間に含まれる距離ｄに関しては、回転角度は、たとえば０°から４５°の間に含まれる。したがって、所定距離は、結合プレート４に対して、約４０°、またはさらに約３０°、またはたとえば約１５°または１０°の回転をキャップ５に加えることが必要であるように固定され得る。各々の結合部材４１０は、次いで、後退運動を有し、すなわち、これは、中心Ｃに対して離れ、径方向に並進する。各々の結合部材４１０の溝４１４は、漸進的に移動して結合戻り部材４１６を変形させ、それと同時に、位置戻り部材４０７は、これがスロット４０４内およびスロット５０６内の両方に挿入されたままであるという事実により、曲がることによって変形される。スロットの広げられた形状は、したがって、大きすぎる局所的な変形を回避することを可能にする。そのような変形は、たとえば、ブレードの可逆式の変形を引き起こすことができる。
【０１１０】
作動位置において、各々の結合部材４１０は、次いで、第１の位置に対して並進された第２の位置に到達し、ここでは、爪４１１は、先に述べられた想像上の円の外側に位置付けられ、結合戻り部材４１６および位置戻り部材４０７は、蓋を自動的に静止位置に戻しやすくなる。
【０１１１】
そのような蓋３は、したがって、少なくとも１つの周囲くぼみ２０２を有するネック部２０１を備える、化粧品を含むように提供されたいかなるベース２にも容易に適合可能である。
【０１１２】
蓋３が、ポット１が閉じられるようにベース２上に組み付けられたとき、蓋３の各々の結合部材４１０の爪４１１は、蓋３が静止位置にあるとき、ベース２のネック部２０１の少なくとも１つのくぼみ２０２内に係合される。
【０１１３】
ポット１を開放することは、蓋３をベース２に対して回転させることである。蓋３を枢動させることは、ここでは、キャップ５の結合プレート４に対する枢動を生じさせ、その結果、各々の結合部材４１０を並進させ、ここでは各々の爪４１１をネック部２０１の外側輪郭表面から離すことによって、各々の爪４１１をそのくぼみ２０２から取り除く。各々のカムフォロワ４１２が、結合プレート４に対するキャップ５の所定の回転角度に対応する、中心Ｃに対する所定の距離を達成するとすぐに、各々の爪は、次いで、リム２０４の周りを通過することができる。
【０１１４】
この開位置を達成するために、結合プレート４は、ブレーキがかけられる、または簡単な摩擦によって、もしくはネック部２０１に対する接着によって、または爪４１１の１つがくぼみ２０２のリブ２０３に対して停止されるという事実によって設けられる場合、その他によって回転保持されることが好ましい。
【０１１５】
設けられる場合の便宜上、リブ２０３は、好ましくは、リム２０４に対するくぼみ２０２の深さにほぼ等しい厚さのものであり、それにより、爪４１１は、リム２０４の下方から係合解除することができない限り、リブ２０３の上方を通過することはできない。
【０１１６】
この例の実施形態では、ベース２は、リブ２０３を備える。しかし、図示されない他の例によれば、ベース２は、４つのリブを備えることができ、それにより、以上で説明した蓋３の各々の爪４１１は、リブを蓋の回転方向に支承する。この最後の構成では、２つの連続するリブは、たとえば、爪が各々の方向に角度的にロックされるために、爪の幅と等しい距離だけ互いから離間される。図示されない別の例によれば、ベースは、少なくとも１つのリブを備え、このリブは、ネック部の円周に沿って、２つの結合部材間、またはその結合部材の２つの側部間に画定された空間に等しい距離にわたって延び、それにより、結合プレートは、そのために、各々の回転方向の配向でロックされる。蓋が単一の爪４１１のみを備える場合では、くぼみ２０２は、たとえば、蓋が静止位置にあるときに爪４１１が中に係合する凹部によってネック部２０１上に画定され得る。蓋が少なくとも２つの爪４１１を備える別の場合では、少なくとも１つのリブ２０３は、たとえば、２つの連続する爪４１１間を延びる。当然ながら、これらの異なる構成を組み合わせることが可能である。
【０１１７】
以上で説明されたようなそのようなポット１は、たとえば、蓋３をベース２上にクリップ留めすることによって、すなわち爪がネック部のリム２０４を通過するようにして蓋をベース上に押し込むことによって容易に閉じられる。ネック部の丸められた形態および爪の先端面取り部４１１ａは、この作動を容易にする。リムを通過した後、爪は、結合戻り部材４１６の作用下でポットのそれらの閉位置をとる。この移動には、通常、ポットが適切に閉じられたことをユーザに知らせるスナップ音が伴われる。
【０１１８】
例として、図７は、蓋のキャップのカムの変形の実施形態を提示する。
【０１１９】
この変形形態では、前述に類似する部分は、１０００増加させて同じ参照番号を含む。この例では、径方向カム１５０４は、１５０５ａ、１５０５ｂ、１５０５ｃおよび１５０５ｄとして特定された４つの突出活性ゾーンを含む。ここでは、突出活性ゾーンは、互いとは異なる。突出活性ゾーン１５０５ａ、１５０５ｂ、１５０５ｃおよび１５０５ｄ各々は、ここでは、中心に対する一定の距離ｄ”１によって定められた、中立ゾーンを形成する平坦にされた頂点と、中立ゾーンのそれぞれ両側の、中心からの距離ｄ１が可変であり、ｄ”１より小さいまたはこれと等しい、並進ゾーンとを備える。各々の並進ゾーンは、したがって、ここでは爪の閉鎖または静止位置に対応する最小半径ｄ’１を有し、一方で距離ｄ”１は、ポットの開放位置に対応する。好ましくは、並進ゾーンと中立ゾーンの間の少なくとも１つの接合部では、径方向カムは、非連続部を含み、この非連続部は、こうして接合ゾーンを形成し、プロファイルのスロープ内に中断部を画定する。さらに、ここでは、突出活性ゾーン１５０５ｂおよび１５０５ｄは、起伏した非連続部を有し、突出活性ゾーン１５０５ｃは、起伏した２つの非連続部を有する。しかし、非連続部は、対照的に、凹状形態のものになることができる。起伏した非連続部は、結合プレートに対するキャップの回転における増大された抵抗点を作り出す。爪が起伏した非連続部を超えた後（または凹状形態の非連続部内に落下した後）、キャップは、結合プレートに対する安定した角度位置にあるままになり、爪は、その開放位置にとどまる。この例の実施形態では、突出活性ゾーン１５０５ｂおよび１５０５ｃならびに突出活性ゾーン１５０５ｃおよび１５０５ｄによって形成された中立ゾーンの両側に起伏した非連続部が存在する。これは、プレートに対してキャップに加えられる回転の方向がどのようなものであっても、同じ効果を生み出すことができるだけでなく、起伏した非連続部の１つの磨耗の場合にもその効果を守ることができる。
【０１２０】
ポットを閉じるために、ユーザは、ネック部の上側表面に接着するプレートと共に蓋をベース上に置き、蓋を回転させて、爪が増大された抵抗点上を反対方向に通過するように、開放を生じさせたものとは反対方向の、プレートに対するキャップの回転を誘発する。ばねブレードは、キャップをその静止位置にもっていくように寄与する。偶発的に、蓋が、ポット上に配置されていないときに静止位置に戻る場合、ポットは、以上で説明されたのと同じやり方で、すなわちクリップ留めすることによって閉じられる。
【０１２１】
図１０から図１８は、本発明の第２の実施形態によるポットを提示する。
【０１２２】
これらの図では、第１の実施形態を参照して提示されたものに類似する部分は、「ダッシュ」によって付加された同じ参照番号を含み、したがって再度説明されない。
【０１２３】
この実施形態によるポットは、したがって、先行するものとは、特に以下の特徴によって異なる。
【０１２４】
図１１および図１２によって示されるように、ベース２’のネック部２０１’は、ここでは、広い開口部を有する全体的に正方形の形状のものである。例示される実施形態では、ベースは、たとえば、第１の実施形態とは対照的に、いかなる上側ショルダも有さないものと考えられる。すなわち、ネック部２０１’は、このとき、ベースから前方へ直接延びて位置し、これは、それ自体正方形の形状を有する。例示として、表されたポットは、約７０ミリメートルの側部、約５５ミリメートルの側部を有する開口部を備えた正方形のベースと、平均約７．５ミリメートルの壁厚さと、約３ミリメートルの高さを有するネック部とを有する。しかし、これは、限定するものではなく、正方形開口部であるが、より小さい寸法の開口部、したがってベースの上側表面上のショルダが存在する正方形ポットを製造することも確実に可能である。例としてここで重要なことは、ネック部および開口部が円形でないことである。
【０１２５】
ネック部２０１’は、ここでは、配向停止部を形成し、ネック部２０１’の周囲に沿って延びるリブ２０３’によって分離された４つのくぼみ２０２’を備え、それにより、各々のくぼみ２０２’は、ほぼ正方形形状のネック部２０１’の側部に対してほぼ中心に置かれ、たとえば図１５に提示される結合部材４１０’の高さにほぼ等しい長さを有する。
【０１２６】
その結果、図１３に示されるように、蓋３’が、ベース２’のほぼ正方形形状に対応する、ほぼ正方形形状であるだけでなく、結合プレート４’も、さらに、ここではほぼ正方形形状のものである。
【０１２７】
結合プレート４’とキャップ５’の間の枢動は、次いで、ここでは、径方向カム５０４’の内側輪郭表面５０４ｂ’と共働する中央スタッド４０３’の外側輪郭表面４０３ａ’によって、さらに、丸められたコーナを含む外側輪郭壁４００ａ’および強化部５０７’が設けられたキャップ５’の輪郭壁５０２’の内側輪郭表面５０３ａ’の部分によって形成される。
【０１２８】
結合部材４１０’の各々は、結合プレート４’の１つの側部のほぼ中央に配置される。
【０１２９】
したがって、径方向カム５０４’は、ここでは、その４つの突出活性ゾーン５０５’の各々が、キャップ５’のコーナに面するようにキャップ５’内に配向される。
【０１３０】
さらに、ここでは、例として、ブレードばね４０７’の自由端部、すなわち中央スタッド４０３’を超えて延びるものは、結合部材４１０’の１つに面して位置し、したがって、径方向カム５０４’内に形成されたスロット５０６’は、２つの突出活性ゾーン５０５の間に配置される。
【０１３１】
図１５は、第２の例の実施形態による結合部材４１０’を提示する。これは、溝４１４’が、カムフォロワ４１２と背部壁４１３の間に配置され、環状溝’４０９の部分の連続として位置付けられるように構成されているが、ここでは背部壁４１３’からさらに離れるという点で、先行するものとは異なる。さらに、爪４１１の自由端部は、ここでは直線であり、設けられるネック部２０１’の周囲と一致し、この周囲に面して配置されるように設けられる。
【０１３２】
特に図１３および図１４によって示されるように、プレート４’は、ここでは、任意選択の小さいプレート４２４’を備え、これによって結合部材４１０’および結合戻り部材４１６’が、プレート４’およびキャップ５’が組み立てられたときに支持体４００’上に適所に保持されることを可能にする。
【０１３３】
図１４および図１６は、ここでは、蓋３’がさらに、たとえば２つの膜間に保持された波形ワッシャを備える閉塞プレートの戻りばね４１８’を備えることを示す。閉塞プレートの戻りばね４１８’は、たとえば、（たとえば膜の形態のシールで覆われると考えられ得る）閉塞プレート４１９’と閉鎖プレート４０１’の間に挟まれる。場合により、たとえば図１４に見ることができるが図１６には図示されない中間プレート４２１’が、閉塞プレートの戻りばね４１８’と閉鎖プレート４０１’の間に加えられると考えられる。
【０１３４】
したがって、ポットが閉じられた後、閉塞プレート４１９’がネック部２０１’のリム２０４’を、通常はシールがその周囲においてリム２０４’と閉塞プレート４１９’の間に圧迫された状態で支承する間、閉塞プレートの戻りばね４１８’は、閉鎖プレート４０１’を押し戻す傾向があり、すなわち、閉鎖プレート４０１’を閉塞プレート４１９’に対して、したがってリム２０４’から離す傾向があり、その結果、爪４１１’がくぼみ２０２’内に係合されるとき、各々の結合部材４１０’の爪４１１’にリム２０４’の下方を支承させる。
【０１３５】
最後に、図１７および１８は、蓋３’がそれぞれ静止位置にあるかまたは開放位置にあるかにしたがって、結合プレート４’およびキャップ５’のそれぞれの位置を下からの図で示す。
【０１３６】
ほぼ正方形形状のキャップ５’のコーナ内、特に、ここでは強化部５０７’内に存在するめくらねじ穴５０９’は、したがって、たとえば、プレート４’をキャップ５’に組み付けるためにねじを受け入れるように構成される。これを達成するために、プレート４’は、ここでは、たとえばねじ穴５０９’内に収容されるように設けられたねじによって通過されるように構成された穴４２３’を備えるフランジ４２２’を備える。
【０１３７】
さらに、図１３および図１７および１８によって明らかになるように、結合プレートのためのハウジングを画定する内側輪郭表面５０３ａ’は、ここでは回転柱の形状を有さない。その形状は、閉塞プレートが、ポットの静止または閉鎖位置に対応する中央位置の両側で約１５°の角度で揺動することができるように提供される。ポットの閉鎖位置では、キャップ５’の輪郭は、ベースのものと位置合わせされる。閉塞プレートの外側輪郭にほぼ合致する形状のネック部の輪郭は、この特徴を考慮に入れる。
【０１３８】
ポットの開放および閉鎖は、ポットを開く際、リブ２０３’が結合部材４１０’の爪４１１’をキャップの回転時に保持する事実を除いて、第１の実施形態に関して説明されたものと同じ作動手順にしたがって行われる。また、閉鎖時、ユーザは、結合部材４１０’の爪４１１’がくぼみ２０２’に入るように、キャップをベースと一致する角度に置かなければならない。また、この実施形態に対して、図７を参照して以上で説明されたものと同じ径方向カムの構造の変形形態を提供することも可能である。さらに、この実施形態は、ネック部のいかなる非円形形状にも適用される。
【０１３９】
当然ながら、本発明は、先行する説明または添付の図に限定されず、当業者の能力内のあらゆる変形形態を包含する。
【図１】
0006553658.tif 000002
【図２】
0006553658.tif 000003
【図３】
0006553658.tif 000004
【図４ａ】
0006553658.tif 000005
【図４ｂ】
0006553658.tif 000006
【図５】
0006553658.tif 000007
【図６】
0006553658.tif 000008
【図７】
0006553658.tif 000009
【図８】
0006553658.tif 000010
【図９】
0006553658.tif 000011
【図１０】
0006553658.tif 000012
【図１１】
0006553658.tif 000013
【図１２】
0006553658.tif 000014
【図１３】
0006553658.tif 000015
【図１４】
0006553658.tif 000016
【図１５】
0006553658.tif 000017
【図１６】
0006553658.tif 000018
【図１７】
0006553658.tif 000019
【図１８】
0006553658.tif 000020